【手続補正書】
【提出日】平成16年9月27日(2004.9.27)
【手続補正１】
【補正対象書類名】明細書
【補正対象項目名】特許請求の範囲
【補正方法】変更
【補正の内容】
【特許請求の範囲】
【請求項１】
複数の光源と、該複数の光源から出射した複数のレーザ光束を偏向する偏向手段と、該偏向手段により偏向された複数のレーザ光束を感光体面上に結像させる走査光学手段と、を有し、該複数の光束のそれぞれが副走査方向において該感光体面の法線とある角度を成して該感光体面に斜入射するマルチビーム走査光学装置において、
該走査光学手段は倍率色収差が過補正となるよう設定され、
前記複数の光源のうち前記副走査方向における前記角度が最も小さい前記レーザ光束を出射する光源の発振波長を前記複数の光源のうち前記副走査方向における前記角度が最も大きい前記レーザ光束を出射する光源の発振波長よりも短くしたことを特徴とするマルチビーム走査光学装置。
【請求項２】
ｎ個の光源と、該ｎ個の光源から出射したｎ本のレーザ光束を偏向する偏向手段と、該偏向手段により偏向されたｎ本のレーザ光束を円筒状の感光体面上に結像させ、ｎ本の走査線を形成する走査光学手段と、を有し、該ｎ本のレーザ光束のそれぞれが副走査方向において該感光体面の法線とある角度を成して該感光体面に斜入射するマルチビーム走査光学装置において、
該走査光学手段は倍率色収差が過補正となるよう設定され、該ｎ本の走査線のうち、１番目の走査線は該感光体面上の頂点から副走査方向に距離Ｓだけ離間した位置に形成され、ｍ番目（１＜ｍ≦ｎ）の走査線は該感光体面上の頂点から副走査方向に距離（Ｓ＋ｄ）だけ離間した位置に形成され、１番目の走査線を形成するレーザ光束を出射する光源の発振波長と、ｍ番目の走査線を形成するレーザ光束を出射する光源の発振波長を各々λ1、λmとしたとき、λ1、≠λmを満たし、
【数１】
2002267968.tif 000001
但し、
ΔＹ2：単位波長当りの像高最外部における主走査方向の結像位置のずれ量、
Ｄ：１画素の大きさ、
α：前記感光体面に入射するレーザ光束と該感光体面の法線とが主走査方向
になす角度の最大値、
Ｒ：前記感光体の半径
なる条件を満足することを特徴とするマルチビーム走査光学装置。
【請求項３】
前記マルチビーム走査光学装置は、
−１≦λm−λ1≦３    （単位：ｎｍ）
なる条件を満足することを特徴とする請求項２に記載のマルチビーム走査光学装置。
【請求項４】
複数の光源と、該複数の光源から出射した複数のレーザ光束を偏向する偏向手段と、該偏向手段により偏向された複数のレーザ光束を感光体面上に結像させる走査光学手段とを有し、該複数の光束のそれぞれが副走査方向において該感光体面の法線とある角度を成して該感光体面に斜入射するマルチビーム走査光学装置において、
該走査光学手段は倍率色収差が補正不足となるよう設定され、
前記複数の光源のうち前記副走査方向における前記角度が最も小さい前記レーザ光束を出射する光源の発振波長を前記複数の光源のうち前記副走査方向における前記角度が最も大きい前記レーザ光束を出射する光源の発振波長よりも長くしたことを特徴とするマルチビーム走査光学装置。
【請求項５】
ｎ個の光源と、該ｎ個の光源から出射したｎ本のレーザ光束を偏向する偏向手段と、該偏向手段により偏向されたｎ本のレーザ光束を円筒状の感光体面上に結像させ、ｎ本の走査線を形成する走査光学手段とを有し、該ｎ本のレーザ光束のそれぞれが副走査方向において該感光体面の法線とある角度を成して該感光体面に斜入射するマルチビーム走査光学装置において、
該走査光学手段は倍率色収差が補正不足となるよう設定され、該ｎ本の走査線のうち、１番目の走査線は該感光体面の頂点から副走査方向に距離Ｓだけ離間した位置に形成され、ｍ番目（１＜ｍ≦ｎ）の走査線は該感光体面の頂点から副走査方向に距離（Ｓ＋ｄ）だけ離間した位置に形成され、１番目の走査線を形成するレーザ光束を出射する光源の発振波長とｍ番目の走査線を形成するレーザ光束を出射する光源の発振波長を各々λ1、λmとしたとき、λ1≠λmを満たし、
【数２】
2002267968.tif 000002
但し、
ΔＹ2：単位波長当りの像高最外部における主走査方向の結像位置のずれ量、
Ｄ：１画素の大きさ、
α：前記感光体面に入射するレーザ光束と該感光体面の法線とが主走査方向
になす角度の最大値、
Ｒ：前記感光体の半径
なる条件を満足することを特徴とするマルチビーム走査光学装置。
【請求項６】
前記マルチビーム走査光学装置は、
−１≦λｍ−λ１≦３    （単位：ｎｍ）
なる条件を満足することを特徴とする請求項５に記載のマルチビーム走査光学装置。
【請求項７】
複数の光源と、該複数の光源から出射した複数のレーザ光束を偏向する偏向手段と、該偏向手段により偏向された複数のレーザ光束を感光体面上に結像させる走査光学手段と、を有するマルチビーム走査光学装置において、
前記複数のレーザ光束間の光路長差に起因する主走査方向の結像位置のずれが前記複数のレーザ光束間の波長差に起因する主走査方向の結像位置のずれで補正されていることを特徴とするマルチビーム走査光学装置。
【請求項８】
前記複数のレーザ光束の光路長差に起因する主走査方向の結像位置のずれ量と前記複数のレーザ光束間の波長差に起因する主走査方向の結像位置のずれ量とが相殺されていることを特徴とする請求項７記載のマルチビーム走査光学装置。
【請求項９】
前記走査光学手段は少なくとも１つの回折面と少なくとも１つの屈折面を有していることを特徴とする請求項１乃至３、８のいずれか１項記載のマルチビーム走査光学装置。
【請求項１０】
前記走査光学手段は少なくとも１つの屈折面を有していることを特徴とする請求項４乃至７のいずれか１項記載のマルチビーム走査光学装置。
【請求項１１】
ｎ個の光源と、該ｎ個の光源から出射したｎ本のレーザ光束を偏向する偏向手段と、該偏向手段により偏向されたｎ本のレーザ光束を円筒状の感光体面上に結像させ、ｎ本の走査線を形成する走査光学手段とを有し、該ｎ本のレーザ光束のそれぞれが副走査方向において該感光体面の法線とある角度を成して該感光体面に斜入射するマルチビーム走査光学装置において、
該走査光学手段は倍率色収差が過補正となるよう設定され、該ｎ本の走査線のうち、１番目の走査線は該感光体面上の頂点から副走査方向に距離Ｓだけ離間した位置に形成され、ｍ番目（１＜ｍ≦ｎ）の走査線は該感光体面上の頂点から副走査方向に距離（Ｓ＋ｄ）だけ離間した位置に形成され、１番目の走査線を形成するレーザ光束を出射する光源の発振波長と、ｍ番目の走査線を形成するレーザ光束を出射する光源の発振波長を各々λ1、λmとしたとき、λm＞λ1、を満たし、
【数３】
2002267968.tif 000003
但し、
ΔＹ2：単位波長当りの像高最外部における主走査方向の結像位置のずれ量、
Ｄ：１画素の大きさ、
α：前記感光体面に入射するレーザ光束と該感光体面の法線とが主走査方向
になす角度の最大値、
Ｒ：前記感光体の半径
なる条件を満足することを特徴とするマルチビーム走査光学装置。
【請求項１２】
ｎ個の光源と、該ｎ個の光源から出射したｎ本のレーザ光束を偏向する偏向手段と、該偏向手段により偏向されたｎ本のレーザ光束を円筒状の感光体面上に結像させ、ｎ本の走査線を形成する走査光学手段とを有し、該ｎ本のレーザ光束のそれぞれが副走査方向において該感光体面の法線とある角度を成して該感光体面に斜入射するマルチビーム走査光学装置において、
該走査光学手段は倍率色収差が補正不足となるよう設定され、該ｎ本の走査線のうち、１番目の走査線は該感光体面の頂点から副走査方向に距離Ｓだけ離間した位置に形成され、ｍ番目（１＜ｍ≦ｎ）の走査線は該感光体面の頂点から副走査方向に距離（Ｓ＋ｄ）だけ離間した位置に形成され、１番目の走査線を形成するレーザ光束を出射する光源の発振波長とｍ番目の走査線を形成するレーザ光束を出射する光源の発振波長を各々λ1、λmとしたとき、λ１＜λｍを満たし、
【数４】
2002267968.tif 000004
但し、
ΔＹ2：単位波長当りの像高最外部における主走査方向の結像位置のずれ量、
Ｄ：１画素の大きさ、
α：前記感光体面に入射するレーザ光束と該感光体面の法線とが主走査方向
になす角度の最大値、
Ｒ：前記感光体の半径
なる条件を満足することを特徴とするマルチビーム走査光学装置
【請求項１３】
前記偏向手段によって偏向された複数のレーザ光束の一部を同期検知レンズにより同期検出素子に導光し、該同期検出素子からの信号を用いて前記感光体面上の走査開始位置のタイミングを制御する同期位置検出手段を有し、
該同期検知レンズは該偏向手段から該同期検出素子に到る光路に対し正対して配置されていることを特徴とする請求項１乃至１２のいずれか１項記載のマルチビーム走査光学装置。
【請求項１４】
前記レーザ光束は、３つ以上のレーザ光束であることを特徴とする請求項１乃至１３のいずれか１項記載のマルチビーム走査光学装置。
【請求項１５】
請求項１乃至１４のいずれか１項記載のマルチビーム走査光学装置と、前記被走査面に配置された感光体と、前記マルチビーム走査光学装置で走査された光束によって前記感光体上に形成された静電潜像をトナー像として現像する現像器と、前記現像されたトナー像を被転写材に転写する転写器と、転写されたトナー像を被転写材に定着させる定着器とを有していることを特徴とする画像形成装置。
【請求項１６】
請求項１乃至１４のいずれか１項記載のマルチビーム走査光学装置と、外部機器から入力したコードデータを画像信号に変換して前記マルチビーム走査光学装置に入力せしめるプリンタコントローラとを有していることを特徴とする画像形成装置。
【手続補正２】
【補正対象書類名】明細書
【補正対象項目名】００２０
【補正方法】変更
【補正の内容】
【００２０】
【課題を解決するための手段】
請求項１の発明のマルチビーム走査光学装置は、複数の光源と、該複数の光源から出射した複数のレーザ光束を偏向する偏向手段と、該偏向手段により偏向された複数のレーザ光束を感光体面上に結像させる走査光学手段と、を有し、該複数の光束のそれぞれが副走査方向において該感光体面の法線とある角度を成して該感光体面に斜入射するマルチビーム走査光学装置において、
該走査光学手段は倍率色収差が過補正となるよう設定され、
前記複数の光源のうち前記副走査方向における前記角度が最も小さい前記レーザ光束を出射する光源の発振波長を前記複数の光源のうち前記副走査方向における前記角度が最も大きい前記レーザ光束を出射する光源の発振波長よりも短くしたことを特徴としている。
【手続補正３】
【補正対象書類名】明細書
【補正対象項目名】００２１
【補正方法】変更
【補正の内容】
【００２１】
請求項２の発明の、マルチビーム走査光学装置は、ｎ個の光源と、該ｎ個の光源から出射したｎ本のレーザ光束を偏向する偏向手段と、該偏向手段により偏向されたｎ本のレーザ光束を円筒状の感光体面上に結像させ、ｎ本の走査線を形成する走査光学手段と、を有し、該ｎ本のレーザ光束のそれぞれが副走査方向において該感光体面の法線とある角度を成して該感光体面に斜入射するマルチビーム走査光学装置において、
該走査光学手段は倍率色収差が過補正となるよう設定され、該ｎ本の走査線のうち、１番目の走査線は該感光体面上の頂点から副走査方向に距離Ｓだけ離間した位置に形成され、ｍ番目（１＜ｍ≦ｎ）の走査線は該感光体面上の頂点から副走査方向に距離（Ｓ＋ｄ）だけ離間した位置に形成され、１番目の走査線を形成するレーザ光束を出射する光源の発振波長と、ｍ番目の走査線を形成するレーザ光束を出射する光源の発振波長を各々λ1、λmとしたとき、λ1、≠λmを満たし、
【数５】
2002267968.tif 000005
但し、
ΔＹ2：単位波長当りの像高最外部における主走査方向の結像位置のずれ量、
Ｄ：１画素の大きさ、
α：前記感光体面に入射するレーザ光束と該感光体面の法線とが主走査方向
になす角度の最大値、
Ｒ：前記感光体の半径
なる条件を満足することを特徴としている。
請求項３の発明は、請求項２の発明において、前記マルチビーム走査光学装置は、
−１≦λm−λ1≦３    （単位：ｎｍ）
なる条件を満足することを特徴としている。
【手続補正４】
【補正対象書類名】明細書
【補正対象項目名】００２２
【補正方法】変更
【補正の内容】
【００２２】
請求項４の発明の、マルチビーム走査光学装置は、複数の光源と、該複数の光源から出射した複数のレーザ光束を偏向する偏向手段と、該偏向手段により偏向された複数のレーザ光束を感光体面上に結像させる走査光学手段とを有し、該複数の光束のそれぞれが副走査方向において該感光体面の法線とある角度を成して該感光体面に斜入射するマルチビーム走査光学装置において、
該走査光学手段は倍率色収差が補正不足となるよう設定され、
前記複数の光源のうち前記副走査方向における前記角度が最も小さい前記レーザ光束を出射する光源の発振波長を前記複数の光源のうち前記副走査方向における前記角度が最も大きい前記レーザ光束を出射する光源の発振波長よりも長くしたことを特徴としている。
【手続補正５】
【補正対象書類名】明細書
【補正対象項目名】００２３
【補正方法】変更
【補正の内容】
【００２３】
請求項５の発明の、マルチビーム走査光学装置は、ｎ個の光源と、該ｎ個の光源から出射したｎ本のレーザ光束を偏向する偏向手段と、該偏向手段により偏向されたｎ本のレーザ光束を円筒状の感光体面上に結像させ、ｎ本の走査線を形成する走査光学手段とを有し、該ｎ本のレーザ光束のそれぞれが副走査方向において該感光体面の法線とある角度を成して該感光体面に斜入射するマルチビーム走査光学装置において、
該走査光学手段は倍率色収差が補正不足となるよう設定され、該ｎ本の走査線のうち、１番目の走査線は該感光体面の頂点から副走査方向に距離Ｓだけ離間した位置に形成され、ｍ番目（１＜ｍ≦ｎ）の走査線は該感光体面の頂点から副走査方向に距離（Ｓ＋ｄ）だけ離間した位置に形成され、１番目の走査線を形成するレーザ光束を出射する光源の発振波長とｍ番目の走査線を形成するレーザ光束を出射する光源の発振波長を各々λ1、λmとしたとき、λ1≠λmを満たし、
【数６】
2002267968.tif 000006
但し、
ΔＹ2：単位波長当りの像高最外部における主走査方向の結像位置のずれ量、
Ｄ：１画素の大きさ、
α：前記感光体面に入射するレーザ光束と該感光体面の法線とが主走査方向
になす角度の最大値、
Ｒ：前記感光体の半径
なる条件を満足することを特徴としている。
請求項６の発明は、請求項５の発明において、前記マルチビーム走査光学装置は、
−１≦λｍ−λ1≦３    （単位：ｎｍ）
なる条件を満足することを特徴としている。
【手続補正６】
【補正対象書類名】明細書
【補正対象項目名】００２４
【補正方法】変更
【補正の内容】
【００２４】
請求項７の発明のマルチビーム走査光学装置は、複数の光源と、該複数の光源から出射した複数のレーザ光束を偏向する偏向手段と、該偏向手段により偏向された複数のレーザ光束を感光体面上に結像させる走査光学手段と、を有するマルチビーム走査光学装置において、
前記複数のレーザ光束間の光路長差に起因する主走査方向の結像位置のずれが前記複数のレーザ光束間の波長差に起因する主走査方向の結像位置のずれで補正されていることを特徴としている。
請求項８の発明は、請求項７の発明において、前記複数のレーザ光束の光路長差に起因する主走査方向の結像位置のずれ量と前記複数のレーザ光束間の波長差に起因する主走査方向の結像位置のずれ量とが相殺されていることを特徴としている。
【手続補正７】
【補正対象書類名】明細書
【補正対象項目名】００２５
【補正方法】変更
【補正の内容】
【００２５】
請求項９の発明は、請求項１乃至３、８のいずれか１項の発明において前記走査光学手段は少なくとも１つの回折面と少なくとも１つの屈折面を有していることを特徴としている。
請求項１０の発明は、請求項４乃至７のいずれか１項の発明において、前記走査光学手段は少なくとも１つの屈折面を有していることを特徴としている。
【手続補正８】
【補正対象書類名】明細書
【補正対象項目名】００２６
【補正方法】変更
【補正の内容】
【００２６】
請求項１１の発明のマルチビーム走査光学装置は、ｎ個の光源と、該ｎ個の光源から出射したｎ本のレーザ光束を偏向する偏向手段と、該偏向手段により偏向されたｎ本のレーザ光束を円筒状の感光体面上に結像させ、ｎ本の走査線を形成する走査光学手段とを有し、該ｎ本のレーザ光束のそれぞれが副走査方向において該感光体面の法線とある角度を成して該感光体面に斜入射するマルチビーム走査光学装置において、
該走査光学手段は倍率色収差が過補正となるよう設定され、該ｎ本の走査線のうち、１番目の走査線は該感光体面上の頂点から副走査方向に距離Ｓだけ離間した位置に形成され、ｍ番目（１＜ｍ≦ｎ）の走査線は該感光体面上の頂点から副走査方向に距離（Ｓ＋ｄ）だけ離間した位置に形成され、１番目の走査線を形成するレーザ光束を出射する光源の発振波長と、ｍ番目の走査線を形成するレーザ光束を出射する光源の発振波長を各々λ1、λmとしたとき、λm＞λ1、を満たし、
【数７】
2002267968.tif 000007
但し、
ΔＹ2：単位波長当りの像高最外部における主走査方向の結像位置のずれ量、
Ｄ：１画素の大きさ、
α：前記感光体面に入射するレーザ光束と該感光体面の法線とが主走査方向
になす角度の最大値、
Ｒ：前記感光体の半径
なる条件を満足することを特徴としている。
【手続補正９】
【補正対象書類名】明細書
【補正対象項目名】００２７
【補正方法】変更
【補正の内容】
【００２７】
請求項１２の発明のマルチビーム走査光学装置は、ｎ個の光源と、該ｎ個の光源から出射したｎ本のレーザ光束を偏向する偏向手段と、該偏向手段により偏向されたｎ本のレーザ光束を円筒状の感光体面上に結像させ、ｎ本の走査線を形成する走査光学手段とを有し、該ｎ本のレーザ光束のそれぞれが副走査方向において該感光体面の法線とある角度を成して該感光体面に斜入射するマルチビーム走査光学装置において、
該走査光学手段は倍率色収差が補正不足となるよう設定され、該ｎ本の走査線のうち、１番目の走査線は該感光体面の頂点から副走査方向に距離Ｓだけ離間した位置に形成され、ｍ番目（１＜ｍ≦ｎ）の走査線は該感光体面の頂点から副走査方向に距離（Ｓ＋ｄ）だけ離間した位置に形成され、１番目の走査線を形成するレーザ光束を出射する光源の発振波長とｍ番目の走査線を形成するレーザ光束を出射する光源の発振波長を各々λ1、λmとしたとき、λ１＜λｍを満たし、
【数８】
2002267968.tif 000008
但し、
ΔＹ2：単位波長当りの像高最外部における主走査方向の結像位置のずれ量、
Ｄ：１画素の大きさ、
α：前記感光体面に入射するレーザ光束と該感光体面の法線とが主走査方向
になす角度の最大値、
Ｒ：前記感光体の半径
なる条件を満足することを特徴としている。
【手続補正１０】
【補正対象書類名】明細書
【補正対象項目名】００２８
【補正方法】変更
【補正の内容】
【００２８】
請求項１３の発明は、請求項１乃至１２のいずれか１項の発明において、前記偏向手段によって偏向された複数のレーザ光束の一部を同期検知レンズにより同期検出素子に導光し、該同期検出素子からの信号を用いて前記感光体面上の走査開始位置のタイミングを制御する同期位置検出手段を有し、
該同期検知レンズは該偏向手段から該同期検出素子に到る光路に対し正対して配置されていることを特徴としている。
請求項１４の発明は、請求項１乃至１３のいずれか１項の発明において、前記レーザ光束は、３つ以上のレーザ光束であることを特徴としている。
【手続補正１１】
【補正対象書類名】明細書
【補正対象項目名】００２９
【補正方法】変更
【補正の内容】
【００２９】
請求項１５の発明の画像形成装置は、請求項１乃至１４のいずれか１項記載のマルチビーム走査光学装置と、前記被走査面に配置された感光体と、前記マルチビーム走査光学装置で走査された光束によって前記感光体上に形成された静電潜像をトナー像として現像する現像器と、前記現像されたトナー像を被転写材に転写する転写器と、転写されたトナー像を被転写材に定着させる定着器とを有していることを特徴としている。
【手続補正１２】
【補正対象書類名】明細書
【補正対象項目名】００３０
【補正方法】変更
【補正の内容】
【００３０】
請求項１６の発明の画像形成装置は、請求項１乃至１４のいずれか１項記載のマルチビーム走査光学装置と、外部機器から入力したコードデータを画像信号に変換して前記マルチビーム走査光学装置に入力せしめるプリンタコントローラとを有していることを特徴としている。
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】削除
【補正の内容】
【手続補正１６】
【補正対象書類名】明細書
【補正対象項目名】００３４
【補正方法】削除
【補正の内容】
【手続補正１７】
【補正対象書類名】明細書
【補正対象項目名】００３５
【補正方法】削除
【補正の内容】
【手続補正１８】
【補正対象書類名】明細書
【補正対象項目名】００３６
【補正方法】削除
【補正の内容】
【手続補正１９】
【補正対象書類名】明細書
【補正対象項目名】００３７
【補正方法】削除
【補正の内容】
【手続補正２０】
【補正対象書類名】明細書
【補正対象項目名】００３８
【補正方法】削除
【補正の内容】
【手続補正２１】
【補正対象書類名】明細書
【補正対象項目名】００３９
【補正方法】削除
【補正の内容】
【手続補正２２】
【補正対象書類名】明細書
【補正対象項目名】０１１３
【補正方法】変更
【補正の内容】
【０１１３】
−１≦λm−λ1≦３    （単位：ｎｍ）     （式１１）
このように本実施形態においては上記の如く（式１０）、（式１１）を満足するように各要素を設定することにより、即ち各レーザ光束１４ａ，１４ｂの光路長差に起因する主走査方向のドットの位置ずれと各レーザ光源４１ａ，４１ｂの波長差に起因する主走査方向のドットの位置ずれを互いに打ち消しあう関係にすることにより、ドットの位置ずれ量を画像全域に渡って目視で分からない程度まで抑えることができ、これにより高品位なマルチビーム走査光学装置を得ている。